(57)【特許請求の範囲】
【請求項１】
本体にロック機構を有する前面パネルと背面パネルとを取り付けて成る各種機器を収納するためのラックの側面パネルの取り付け構造であって、該側面パネルの端部に設けられた折曲部の本体側には取り付け穴を、前記側面パネルを取り付けるための前記本体に設けられたポストには螺子挿通孔を設けると共に、前記取り付け穴には内側からクリップナットをはめ込み、前記螺子挿通孔を前記取り付け穴に対向させ、取り付けねじを前記螺子挿通孔と前記取り付け穴に挿通し、前記クリップナットで側面パネルを固定した後、前記前面パネルと前記背面パネルを前記本体に取り付け、前記側面パネルには突出物はない状態でロック可能とすることを特徴とするラックの側面パネルの取り付け構造。
【発明の詳細な説明】
【０００１】
【産業上の利用分野】
本体にロック機構を有する前面パネルと背面パネルとを取り付けて成る各種機器を収納するためのラックの側面パネルの取り付け構造に関する。
【０００２】
【従来の技術】
従来技術におけるラックの側面パネルの取り付け構造は、セキュリティ機構を持たせる場合には、パネルと本体に設けた螺子挿通孔に螺子を締め付けたり緩めたりする作業がしにくいネジ頭をもつトルクスネジを挿通し、パネルを本体に締め付け固定していた。または、図５〜図６に示すように、側面パネル３１に嵌合穴３２を設け、嵌合穴３２にキー付ファスナー３３をはめ込み、本体３４に側面パネル３１をキー付ファスナー３３によって取り付けていた。または、前面パネルや背面パネルと同様に、キーハンドル付のパネルを用いていた。
【０００３】
【発明が解決しようとする課題】
しかしながら上記従来技術におけるラックの側面パネルの取り付け構造では、トルクスネジを用いた場合、このネジは汎用品であるため、セキュリティ効果が薄いという欠点があった。また、キー付ファスナーを用いた場合、このファスナーは汎用品であるため、セキュリティ効果が薄く、外側に露出しているため、側面パネルを取り付けたままでは、ラックを連結できないという欠点があった。また、キーハンドル付のパネルを用いた場合、取り付け作業も面倒であり、コストもかかる上、ハンドルが露出しているので側面パネルを取り付けたまま連結できないという欠点があった。
【０００４】
【課題を解決するための手段】
そこで本発明は、施工が簡単で、セキュリティ効果を上げ、側面パネルから露出させずに側面パネルを本体に取り付けることのできるラックの側面パネル取り付け構造を提供することを目的とし、その構造は、側面パネルの端部に設けられた折曲部の本体側には取り付け穴を、側面パネルを取り付けるための本体に設けられたポストには螺子挿通孔を設けると共に、取り付け穴には内側からクリップナットをはめ込み、螺子挿通孔を取り付け穴に対向させ、取り付けねじを螺子挿通孔と取り付け穴に挿通し、クリップナットで側面パネルを固定した後、前面パネルと背面パネルを本体に取り付け、側面パネルには突出物はない状態でロック可能とすることを特徴とする。
【０００５】
【発明の実施の形態】
本発明に係るラックの側面パネル取り付け構造は、側面パネルの端部に設けられた折曲部の取り付け穴に内側からクリップナットを取り付ける。側面パネルの取り付け穴をラックの本体のポストに設けられている螺子挿通孔に対向させ、取り付けねじを挿通して締め付け固定し、側面パネルを本体に取り付ける。その後、本体の前面と背面にそれぞれキーハンドル付のパネルを取り付ける。前面パネルと背面パネルを施錠してしまえば、側面パネルを取り付けている取り付けねじを取り外すことはできず、セキュリティ効果も高い。
【０００６】
【実施例】
本発明に係る実施例を図１〜図４の添付図面に基づいて説明する。
【０００７】
本発明に係るラック１は、本体２に側面パネル３とロック機構を有する前面パネルと背面パネルとを取り付けて成り、各種機器を収納する。
【０００８】
側面パネル３の平面部４には、螺子挿通孔５を設け、ラック１の外側から取り付けねじで締め付け本体に固定する。さらに側面パネル３の端部に折曲部６を形成する。折曲部６には取り付け穴７を設け、側面パネル３の内側からクリップナット８をはめ込む。
【０００９】
本体２の側面パネル３を取り付けるポスト９に螺子挿通孔１０を設ける。側面パネル３を取り付け穴７と螺子挿通孔１０とを対向させ本体２に合わせ、ポスト９側から取り付けねじ１１を挿通し、クリップナット８とで締め付け固定する。
【００１０】
側面パネル３を本体に取り付けた後、本体２の前面１２と背面１３をキーハンドル付パネル等の施錠が可能なパネルを取り付ける。
【００１１】
側面パネル３は、折曲部６にはめ込んだクリップナット８でねじ止めをし、取り付けねじ１１の頭部は施錠可能な前面パネルと背面パネルによって被覆されるので、前面パネルか背面パネルを外さない限りは、側面パネル３を取り外すことが不可能である。
【００１２】
ラック１を連結するときは、側面パネル３を本体２に取り付けるための取り付けねじ１１やクリップナット８が側面パネル３の表面に露出しないので、側面パネル３を外すことなく連結して設置可能である。
【００１３】
クリップナットを変更するだけで、多種のサイズのねじの使用が可能である。
【００１４】
図４に本発明に係る機器収納用ラックの側面パネルの取り付け構造の変形実施例を示すが、側面パネル１４を外側からはねじ止めせず、ポスト１５から挿通したねじ１６を、側面パネル１４の端部に設けられた折曲部１７にはめ込んだクリップナット１８で固定するだけで側面パネル１４を本体１９に取り付けてもよい。この場合、側面パネルの平面部には螺子挿通孔を形成する必要はない。以上のように本発明に係る機器収納用ラックの側面パネル取り付け構造は、上記の構造に限定されるものではなく、本発明を逸脱しない範囲において適宜変更可能である。
【００１５】
【発明の効果】
以上述べたように、本発明に係る機器収納用ラックの側面パネル取り付け構造は、側面パネルの端部に設けられた折曲部の本体側には取り付け穴を、側面パネルを取り付けるための本体に設けられたポストには螺子挿通孔を設けると共に、取り付け穴には内側からクリップナットをはめ込み、螺子挿通孔を取り付け穴に対向させ、取り付けねじを螺子挿通孔と取り付け穴に挿通し、クリップナットで側面パネルを固定した後、前面パネルと背面パネルを本体に取り付け、側面パネルには突出物はない状態でロック可能とするため、側面パネルにクリップナットをはめ込むだけという簡単な施工で施錠効果が得られる。また、側面パネルから露出するものはないのでラックを連結する場合も側面パネルをつけたまま作業でき、また側面パネルが仕切り板としても使用可能となる。セキュリティーが必要な場合のみ使用でき、必要ない場合も同じ側面パネルが使用できる。側面パネルを外した場合にもフレームや金具が出たりしないので、入出線の作業などが行いやすい。部品点数も抑えられているので製造コストもかからない。汎用の工具で取り付けできる。
【図面の簡単な説明】
【図１】本発明に係る機器収納用ラックの側面パネル取り付け構造の実施例を示す分解斜視図である。
【図２】図１におけるａ部詳細図である。
【図３】図１におけるｂ部詳細図である。
【図４】本発明に係る機器収納用ラックの側面パネル取り付け構造の変形実施例を示す分解斜視図である。
【図５】従来技術における機器収納用ラックの側面パネル取り付け構造を示す分解斜視図である。
【図６】図５におけるキー付ファスナー取り付け部詳細図である。
【符号の説明】
１      ラック
２      本体
３      側面パネル
４      平面部
５      螺子挿通孔
６      折曲部
７      取り付け穴
８      クリップナット
９      ポスト
１０    螺子挿通孔
１１    取り付けねじ
１２    前面
１３    背面
１４    側面パネル
１５    ポスト
１６    ねじ
１７    折曲部
１８    クリップナット
１９    本体
【図１】
0004450343.tif 000002
【図２】
0004450343.tif 000003
【図３】
0004450343.tif 000004
【図４】
0004450343.tif 000005
【図５】
0004450343.tif 000006
【図６】
0004450343.tif 000007